【手続補正書】
【提出日】平成22年5月10日(2010.5.10)
【手続補正１】
【補正対象書類名】特許請求の範囲
【補正対象項目名】請求項１
【補正方法】変更
【補正の内容】
【請求項１】
外壁材を建物に取り付けるための外壁材取付金具において、
金属板を成形してなり、前記外壁材の端部に係合される外壁材係合部と、当該外壁材取付金具を建物躯体側材にビス留めするためのビス穴または釘留めするための釘穴とを有しており、
前記外壁材係合部は、外壁材裏面対向部と、前記外壁材裏面対向部に対し前後方向に変位できるように曲げ変形可能とされている変形可能片と、この変形可能片に、前方に突出するように設けられている固定用突起部と、前記外壁材裏面対向部の前方に設けられた前方移動阻止部とを有してなり、
前記外壁材の端部が前記外壁材係合部内に侵入するように当該外壁材取付金具が前記外壁材に対し相対的に移動されて行くと、前記外壁材裏面対向部が前記外壁材の裏面に対向するとともに、前記固定用突起部が、前記変形可能片を後方に変形させながら、前記外壁材の裏面に当接し、かつ前記前方移動阻止部が前記外壁材のうちの裏面より前方側の部分に当接した状態となって、前記外壁材に前記外壁材係合部が係合され、この係合により当該外壁材取付金具が前記外壁材に対して固定された状態となるようになっている外壁材取付金具。
【手続補正２】
【補正対象書類名】特許請求の範囲
【補正対象項目名】請求項６
【補正方法】変更
【補正の内容】
【請求項６】
外壁材を建物に取り付けるための外壁材の取付方法において、
金属板を成形してなり、外壁材の端部に係合される外壁材係合部を有しており、前記外壁材係合部は、外壁材裏面対向部と、前記外壁材裏面対向部に対し前後方向に変位できるように曲げ変形可能とされている変形可能片と、この変形可能片に、前方に突出するように設けられている固定用突起部と、前記外壁材裏面対向部の前方に設けられた前方移動阻止部とを有してなり、前記外壁材の端部が前記外壁材係合部内に侵入するように当該外壁材取付金具が前記外壁材に対し相対的に移動されて行くと、前記外壁材裏面対向部が前記外壁材の裏面に対向するとともに、前記固定用突起部が、前記変形可能片を後方に変形させながら、前記外壁材の裏面に当接し、かつ前記前方移動阻止部が前記外壁材のうちの裏面より前方側の部分に当接した状態となって、前記外壁材に前記外壁材係合部が係合され、この係合により当該外壁材取付金具が前記外壁材に対して固定された状態となるようになっている外壁材取付金具を用意する段階と、
前記外壁材の端部が前記外壁材係合部内に侵入するように前記外壁材取付金具を前記外壁材に対し相対的に移動して、前記外壁材に前記外壁材取付金具の前記外壁材係合部を係合することにより、前記外壁材に前記外壁材取付金具を固定する段階と、
前記外壁材取付金具を建物躯体側材にビス留めまたは釘留めする段階とを有してなる外壁材の取付方法。
【手続補正３】
【補正対象書類名】特許請求の範囲
【補正対象項目名】請求項７
【補正方法】変更
【補正の内容】
【請求項７】
外壁材を建物に取り付けるための外壁材取付金具において、
金属板を成形してなり、前記外壁材の端部に係合される外壁材係合部と、当該外壁材取付金具を建物躯体側材にビス留めするためのビス穴または釘留めするための釘穴とを有しており、
前記外壁材係合部は、外壁材裏面対向部と、前方に突出する固定用突起部と、前記外壁材裏面対向部の前方に設けられた一対の前方移動阻止部とを有してなり、
前記外壁材の端部が前記外壁材係合部内に侵入するように当該外壁材取付金具が前記外壁材に対し相対的に移動されて行くと、前記外壁材裏面対向部が前記外壁材の裏面に対向するとともに、前記固定用突起部が前記外壁材の裏面に当接し、かつ前記前方移動阻止部が前記外壁材のうちの裏面より前方側の部分に当接した状態となって、前記外壁材に前記外壁材係合部が係合され、この係合により当該外壁材取付金具が前記外壁材に対して固定された状態となるようになっており、
前記一対の前方移動阻止部は、前記外壁材裏面対向部に対し、前記外壁材係合部の入口側から奥部に向かうほど該前方移動阻止部と前記外壁材裏面対向部との間の間隙が小さくなる方向にそれぞれ斜めに傾斜されており、前記外壁材係合部の入口側に位置する各前記前方移動阻止部の先端側かつ外側隅部は円弧状とされており、
各前記前方移動阻止部の先端側かつ外側隅部がなす円弧の径は、前記外壁材の端面に、外壁材用溝切り回転刃物を、形成すべき取付溝の深さ方向となる方向にのみ切り込ませることにより、前記外壁材の端面の長さ方向にはスライドさせることなく、取付溝を形成し、前記外壁材のうちの前記取付溝より裏面側の部分の端部が前記外壁材係合部内に侵入するようにする場合、前記外壁材の端部に前記外壁材係合部を係合したとき、前記取付溝の側壁が該隅部に局所的に強く当たらないこととなるような径とされている外壁材取付金具。
【手続補正４】
【補正対象書類名】特許請求の範囲
【補正対象項目名】請求項８
【補正方法】変更
【補正の内容】
【請求項８】
外壁材を建物に取り付けるための外壁材の取付方法において、
金属板を成形してなり、前記外壁材の端部に係合される外壁材係合部を有しており、前記外壁材係合部は、外壁材裏面対向部と、前方に突出する固定用突起部と、前記外壁材裏面対向部の前方に設けられた一対の前方移動阻止部とを有してなり、前記外壁材の端部が前記外壁材係合部内に侵入するように当該外壁材取付金具が前記外壁材に対し相対的に移動されて行くと、前記外壁材裏面対向部が前記外壁材の裏面に対向するとともに、前記固定用突起部が前記外壁材の裏面に当接し、かつ前記前方移動阻止部が前記外壁材のうちの裏面より前方側の部分に当接した状態となって、前記外壁材に前記外壁材係合部が係合され、この係合により当該外壁材取付金具が前記外壁材に対して固定された状態となるようになっており、前記一対の前方移動阻止部は、前記外壁材裏面対向部に対し、前記外壁材係合部の入口側から奥部に向かうほど該前方移動阻止部と前記外壁材裏面対向部との間の間隙が小さくなる方向にそれぞれ斜めに傾斜されており、前記外壁材係合部の入口側に位置する各前記前方移動阻止部の先端側かつ外側隅部は円弧状とされている外壁材取付金具を用意する段階と、
軸回りに回転されるようになっているとともに、外周部に刃部を設けられており、この刃部の回転軌跡を径方向に断面してなる回転軌跡断面形状の少なくとも一方の側辺は回転軸に対し垂直な平面に対して傾斜した傾斜辺をなしている外壁材用溝切り回転刃物を用意する段階と、
前記外壁材の端面に、前記外壁材用溝切り回転刃物を、形成すべき取付溝の深さ方向となる方向にのみ切り込ませることにより、前記外壁材の端面の長さ方向にはスライドさせることなく、前記端面に、前記回転軌跡断面形状に対応した横断面形状を有し、該外壁材裏面側の側壁が該外壁材全体に対して傾斜した傾斜面をなす取付溝を形成する段階と、
前記外壁材のうちの前記取付溝より裏面側の部分の端部が前記外壁材係合部内に侵入するように当該外壁材取付金具を前記外壁材に対し相対的に移動して、前記外壁材の端部に前記外壁材取付金具の前記外壁材係合部を係合することにより、前記外壁材に前記外壁材取付金具を固定する段階と、
前記外壁材取付金具を建物躯体側材にビス留めまたは釘留めする段階とを有してなり、
各前記前方移動阻止部の先端側かつ外側隅部がなす円弧の径は、前記外壁材の端部に前記外壁材係合部を係合したとき、前記取付溝の側壁が該隅部に局所的に強く当たらないこととなるような径とされている外壁材の取付方法。
【手続補正５】
【補正対象書類名】明細書
【補正対象項目名】００２５
【補正方法】変更
【補正の内容】
【００２５】
請求項１に係る本発明による外壁材取付金具は、外壁材を建物に取り付けるための外壁材取付金具において、
金属板を成形してなり、前記外壁材の端部に係合される外壁材係合部と、当該外壁材取付金具を建物躯体側材にビス留めするためのビス穴または釘留めするための釘穴とを有しており、
前記外壁材係合部は、外壁材裏面対向部と、前記外壁材裏面対向部に対し前後方向に変位できるように曲げ変形可能とされている変形可能片と、この変形可能片に、前方に突出するように設けられている固定用突起部と、前記外壁材裏面対向部の前方に設けられた前方移動阻止部とを有してなり、
前記外壁材の端部が前記外壁材係合部内に侵入するように当該外壁材取付金具が前記外壁材に対し相対的に移動されて行くと、前記外壁材裏面対向部が前記外壁材の裏面に対向するとともに、前記固定用突起部が、前記変形可能片を後方に変形させながら、前記外壁材の裏面に当接し、かつ前記前方移動阻止部が前記外壁材のうちの裏面より前方側の部分に当接した状態となって、前記外壁材に前記外壁材係合部が係合され、この係合により当該外壁材取付金具が前記外壁材に対して固定された状態となるようになっているものである。
【手続補正６】
【補正対象書類名】明細書
【補正対象項目名】００２６
【補正方法】変更
【補正の内容】
【００２６】
請求項６に係る本発明による外壁材の取付方法は、外壁材を建物に取り付けるための外壁材の取付方法において、
金属板を成形してなり、外壁材の端部に係合される外壁材係合部を有しており、前記外壁材係合部は、外壁材裏面対向部と、前記外壁材裏面対向部に対し前後方向に変位できるように曲げ変形可能とされている変形可能片と、この変形可能片に、前方に突出するように設けられている固定用突起部と、前記外壁材裏面対向部の前方に設けられた前方移動阻止部とを有してなり、前記外壁材の端部が前記外壁材係合部内に侵入するように当該外壁材取付金具が前記外壁材に対し相対的に移動されて行くと、前記外壁材裏面対向部が前記外壁材の裏面に対向するとともに、前記固定用突起部が、前記変形可能片を後方に変形させながら、前記外壁材の裏面に当接し、かつ前記前方移動阻止部が前記外壁材のうちの裏面より前方側の部分に当接した状態となって、前記外壁材に前記外壁材係合部が係合され、この係合により当該外壁材取付金具が前記外壁材に対して固定された状態となるようになっている外壁材取付金具を用意する段階と、
前記外壁材の端部が前記外壁材係合部内に侵入するように前記外壁材取付金具を前記外壁材に対し相対的に移動して、前記外壁材に前記外壁材取付金具の前記外壁材係合部を係合することにより、前記外壁材に前記外壁材取付金具を固定する段階と、
前記外壁材取付金具を建物躯体側材にビス留めまたは釘留めする段階とを有してなるものである。
【手続補正７】
【補正対象書類名】明細書
【補正対象項目名】００２８
【補正方法】変更
【補正の内容】
【００２８】
請求項７に係る本発明による外壁材取付金具は、外壁材を建物に取り付けるための外壁材取付金具において、
金属板を成形してなり、前記外壁材の端部に係合される外壁材係合部と、当該外壁材取付金具を建物躯体側材にビス留めするためのビス穴または釘留めするための釘穴とを有しており、
前記外壁材係合部は、外壁材裏面対向部と、前方に突出する固定用突起部と、前記外壁材裏面対向部の前方に設けられた一対の前方移動阻止部とを有してなり、
前記外壁材の端部が前記外壁材係合部内に侵入するように当該外壁材取付金具が前記外壁材に対し相対的に移動されて行くと、前記外壁材裏面対向部が前記外壁材の裏面に対向するとともに、前記固定用突起部が前記外壁材の裏面に当接し、かつ前記前方移動阻止部が前記外壁材のうちの裏面より前方側の部分に当接した状態となって、前記外壁材に前記外壁材係合部が係合され、この係合により当該外壁材取付金具が前記外壁材に対して固定された状態となるようになっており、
前記一対の前方移動阻止部は、前記外壁材裏面対向部に対し、前記外壁材係合部の入口側から奥部に向かうほど該前方移動阻止部と前記外壁材裏面対向部との間の間隙が小さくなる方向にそれぞれ斜めに傾斜されており、前記外壁材係合部の入口側に位置する各前記前方移動阻止部の先端側かつ外側隅部は円弧状とされており、
各前記前方移動阻止部の先端側かつ外側隅部がなす円弧の径は、前記外壁材の端面に、外壁材用溝切り回転刃物を、形成すべき取付溝の深さ方向となる方向にのみ切り込ませることにより、前記外壁材の端面の長さ方向にはスライドさせることなく、取付溝を形成し、前記外壁材のうちの前記取付溝より裏面側の部分の端部が前記外壁材係合部内に侵入するようにする場合、前記外壁材の端部に前記外壁材係合部を係合したとき、前記取付溝の側壁が該隅部に局所的に強く当たらないこととなるような径とされているものである。
【手続補正８】
【補正対象書類名】明細書
【補正対象項目名】００２９
【補正方法】変更
【補正の内容】
【００２９】
請求項８に係る本発明による外壁材の取付方法は、外壁材を建物に取り付けるための外壁材の取付方法において、
金属板を成形してなり、前記外壁材の端部に係合される外壁材係合部を有しており、前記外壁材係合部は、外壁材裏面対向部と、前方に突出する固定用突起部と、前記外壁材裏面対向部の前方に設けられた一対の前方移動阻止部とを有してなり、前記外壁材の端部が前記外壁材係合部内に侵入するように当該外壁材取付金具が前記外壁材に対し相対的に移動されて行くと、前記外壁材裏面対向部が前記外壁材の裏面に対向するとともに、前記固定用突起部が前記外壁材の裏面に当接し、かつ前記前方移動阻止部が前記外壁材のうちの裏面より前方側の部分に当接した状態となって、前記外壁材に前記外壁材係合部が係合され、この係合により当該外壁材取付金具が前記外壁材に対して固定された状態となるようになっており、前記一対の前方移動阻止部は、前記外壁材裏面対向部に対し、前記外壁材係合部の入口側から奥部に向かうほど該前方移動阻止部と前記外壁材裏面対向部との間の間隙が小さくなる方向にそれぞれ斜めに傾斜されており、前記外壁材係合部の入口側に位置する各前記前方移動阻止部の先端側かつ外側隅部は円弧状とされている外壁材取付金具を用意する段階と、
軸回りに回転されるようになっているとともに、外周部に刃部を設けられており、この刃部の回転軌跡を径方向に断面してなる回転軌跡断面形状の少なくとも一方の側辺は回転軸に対し垂直な平面に対して傾斜した傾斜辺をなしている外壁材用溝切り回転刃物を用意する段階と、
前記外壁材の端面に、前記外壁材用溝切り回転刃物を、形成すべき取付溝の深さ方向となる方向にのみ切り込ませることにより、前記外壁材の端面の長さ方向にはスライドさせることなく、前記端面に、前記回転軌跡断面形状に対応した横断面形状を有し、該外壁材裏面側の側壁が該外壁材全体に対して傾斜した傾斜面をなす取付溝を形成する段階と、
前記外壁材のうちの前記取付溝より裏面側の部分の端部が前記外壁材係合部内に侵入するように当該外壁材取付金具を前記外壁材に対し相対的に移動して、前記外壁材の端部に前記外壁材取付金具の前記外壁材係合部を係合することにより、前記外壁材に前記外壁材取付金具を固定する段階と、
前記外壁材取付金具を建物躯体側材にビス留めまたは釘留めする段階とを有してなり、
各前記前方移動阻止部の先端側かつ外側隅部がなす円弧の径は、前記外壁材の端部に前記外壁材係合部を係合したとき、前記取付溝の側壁が該隅部に局所的に強く当たらないこととなるような径とされているものである。
【手続補正９】
【補正対象書類名】明細書
【補正対象項目名】００６７
【補正方法】変更
【補正の内容】
【００６７】
さらに、外壁材２１に取付溝２２を加工する際、回転刃物３１を外壁材２２に、取付溝１６の深さ方向となる方向に所定深さだけ切り込むのみとし、外壁材２１の端面２１ｃが延びる方向に回転刃物３１をスライドさせないようにする場合には、各前方移動阻止部１４ｂの先端側かつ外側隅部２４は比較的に大きな円弧状とされているので、先端側かつ外側隅部２４が外壁材２３の取付溝２２の側壁２２ａに局所的に強く当たってしまうことがない。